(57)【要約】  【課題】全体の小型化を図ったり、好適な外形を設定したりするための設計の自由度に優れた転写具を提供する。  【解決手段】この転写具は、繰り出しリールと、巻き取りリールと、繰り出しギアと、巻き取りギアとを備えたものであり、前記繰り出しリールの軸径と前記巻き取りリールの軸径とが略同じ寸法に設定されており、且つ、前記繰り出しギアの外径寸法と前記巻き取りギアの外径寸法とが略同じ寸法に設定されており、前記繰り出しギアが、前記繰り出しギア及び前記巻き取りギアよりも小さな外径寸法に設定されたギアを主体に構成された増速ギア機構を介して前記巻き取りギアに接続するように構成されている。このようなものであれば、全体の小型化を図ったり、好適な外形を設定したりするための設計の自由度に優れた転写具を提供することができるものとなる。【選択図】図３
2018001607.tif 000002
【特許請求の範囲】
【請求項１】
転写テープが繰り出される繰り出しリールと、この繰り出しリールから繰り出されるとともに転写ヘッドを経由した前記転写テープを巻き取るための巻き取りリールと、前記繰り出しリールに接続し当該繰り出しリールと連動する繰り出しギアと、前記巻き取りリールと一体的に回動する巻き取りギアとを備えた転写具であって、
前記繰り出しリールの軸径と前記巻き取りリールの軸径とが略同じ寸法に設定されており、且つ、前記繰り出しギアの外径寸法と前記巻き取りギアの外径寸法とが略同じ寸法に設定されており、前記繰り出しギアが、前記繰り出しギア及び前記巻き取りギアよりも小さな外径寸法に設定されたギアを主体に構成された増速ギア機構を介して前記巻き取りギアに接続する転写具。
【請求項２】
前記増速ギア機構が、前記繰り出しギアに噛合する第一ギアと、この第一ギアに噛合するとともに前記巻き取りギアに噛合する第二ギアとを備えている請求項１記載の転写具。
【請求項３】
前記第二ギアが、前記第一ギアの外径寸法と略同じ外径寸法をなす小径ギアと、この小径ギアよりも大きな外径寸法をなす大径ギアとを一体に備えたものである請求項２記載の転写具。
【請求項４】
前記第二ギアが、前記小径ギアを前記大径ギアよりも外側に配設したものであり、前記小径ギアが前記第一ギアに噛合するものであり、前記大径ギアが前記巻き取りギアに噛合するものである請求項３記載の転写具。
【請求項５】
前記繰り出しリールと前記繰り出しギアとの間に、クラッチが設けられている請求項１、２、３又は４記載の転写具。
【請求項６】
内部にリフィル配設空間を形成した転写具本体と、前記リフィル配設空間に配設されたリフィルとを備えており、
前記転写具本体が、前記繰り出しリールを回動可能に支持してなるものであり、
前記リフィルが、リフィル本体と、このリフィル本体に回動可能に支持された前記繰り出しリール、前記巻き取りリール、及び、前記巻き取りギアを備えたものである請求項１、２、３、４又は５記載の転写具。
【発明の詳細な説明】
【技術分野】
【０００１】
本発明は、転写具に関する。
【背景技術】
【０００２】
従来から、転写物たる糊が添着された転写テープが繰り出される繰り出しリールと、この繰り出しリールから繰り出された転写テープを巻き取るための巻き取りリールと、これら繰り出しリール及び巻き取りリールとを連動させるための繰り出しギア及び巻き取りギアとを備えた転写具が知られている（例えば、特許文献１を参照）。
【０００３】
この種の転写具は、繰り出しリールに巻回された転写テープが緩むことなく巻き取りリールに巻回され得るようにするため、繰り出しリールから転写テープが繰り出される初期段階から繰り出しリールから転写テープが尽きるまでの最終段階までの間において、巻き取りリールの回転速度が繰り出しリールの回転速度よりも速くなるように設定されている。具体的に言えば、従来の転写具では、繰り出しリールの軸径やこの繰り出しリールと連動する繰り出しギアの外径寸法が、巻き取りリールの軸径や巻き取りギアの外径寸法よりも大きくなるように構成されている。
【０００４】
ところが、このようなものであると、転写具全体の小型化を図る場合には、次のような問題が生じ得る。すなわち、繰り出しリールよりも小さな巻き取りリールを支持し得る支持軸を、転写具の内部に設ける必要がある。このため、当該支持軸の強度を保持する必要上、全体の小型化には一定の限界が生ずるものとなっていた。
【０００５】
さらに、このようなものであると、繰り出しリールや巻き取りリール等を収容する転写具本体の形状が、繰り出しリールと巻き取りリールの大きさの違いに起因して、側面視において前方（又は後方）よりも後方（又は前方）の方が大きく膨らんだ形状（いわゆる「おにぎり型」のような形状）になってしまう傾向があった。このため、転写具の外形を好適なものとするための設計自由度も制限されたものとなっていた。
【先行技術文献】
【特許文献】
【０００６】
【特許文献１】特開２０１４−５４８０６号公報
【発明の概要】
【発明が解決しようとする課題】
【０００７】
本発明は、以上のような事情に着目してなされたもので、全体の小型化を図ったり、好適な外形を設定したりするための設計の自由度に優れた転写具を提供することにある。
【課題を解決するための手段】
【０００８】
すなわち、本発明は次の構成をなしている。
【０００９】
請求項１に記載の発明は、転写テープが繰り出される繰り出しリールと、この繰り出しリールから繰り出されるとともに転写ヘッドを経由した前記転写テープを巻き取るための巻き取りリールと、前記繰り出しリールに接続し当該繰り出しリールと連動する繰り出しギアと、前記巻き取りリールと一体的に回動する巻き取りギアとを備えた転写具であって、前記繰り出しリールの軸径と前記巻き取りリールの軸径とが略同じ寸法に設定されており、且つ、前記繰り出しギアの外径寸法と前記巻き取りギアの外径寸法とが略同じ寸法に設定されており、前記繰り出しギアが、前記繰り出しギア及び前記巻き取りギアよりも小さな外径寸法に設定されたギアを主体に構成された増速ギア機構を介して前記巻き取りギアに接続する転写具である。
【００１０】
請求項２に記載の発明は、前記増速ギア機構が、前記繰り出しギアに噛合する第一ギアと、この第一ギアに噛合するとともに前記巻き取りギアに噛合する第二ギアとを備えている請求項１記載の転写具である。
【００１１】
請求項３に記載の発明は、前記第二ギアが、前記第一ギアの外径寸法と略同じ外径寸法をなす小径ギアと、この小径ギアよりも大きな外径寸法をなす大径ギアとを一体に備えたものである請求項２記載の転写具である。
【００１２】
請求項４に記載の発明は、前記第二ギアが、前記小径ギアを前記大径ギアよりも外側に配設したものであり、前記小径ギアが前記第一ギアに噛合するものであり、前記大径ギアが前記巻き取りギアに噛合するものである請求項３記載の転写具である。
【００１３】
請求項５に記載の発明は、前記繰り出しリールと前記繰り出しギアとの間に、クラッチが設けられている請求項１、２、３又は４記載の転写具である。
【００１４】
請求項６に記載の発明は、内部にリフィル配設空間を形成した転写具本体と、前記リフィル配設空間に配設されたリフィルとを備えており、前記転写具本体が、前記繰り出しリールを回動可能に支持してなるものであり、前記リフィルが、リフィル本体と、このリフィル本体に回動可能に支持された前記繰り出しリール、前記巻き取りリール、及び、前記巻き取りギアを備えたものである請求項１、２、３、４又は５記載の転写具である。
【発明の効果】
【００１５】
以上説明したように本発明によれば、全体の小型化を図ったり、好適な外形を設定したりするための設計の自由度に優れた転写具を提供することができるものとなる。
【図面の簡単な説明】
【００１６】
【図１】本発明の一実施形態を示す右側面図。
【図２】同実施形態における平面図。
【図３】図２におけるＸ−Ｘ線断面図。
【図４】図２におけるＹ−Ｙ線断面図。
【図５】同実施形態における右側面図。
【図６】図５におけるＺ−Ｚ線断面図。
【図７】同実施形態における分解斜視図。
【図８】同実施形態における分解斜視図。
【発明を実施するための形態】
【００１７】
以下、本発明の一実施形態を、図１〜８を参照して説明する。
【００１８】
この実施形態は、本発明を、転写物である糊（図示せず）を、転写対象面を有した用紙（図示せず）等に対して転写するための転写具に適用したものである。
【００１９】
転写具は、転写具本体Ａと、この転写具本体Ａに装脱可能に支持されるリフィルＢとを備えてなるものである。転写具本体Ａは、内部にリフィル配設空間ｓｐを形成したものである。リフィルＢは、転写具本体Ａのリフィル配設空間ｓｐに配設される。
【００２０】
＜転写具本体Ａ＞
転写具本体Ａは、転写テープｔを保持したリフィルＢを収容し得るものである。転写具本体Ａは、第一、第二のケース１、２を主体に構成され内部にリフィル配設空間ｓｐを形成し得る本体ケースＣと、本体ケースＣに回転可能に取り付けられたキャップ３と、本体ケースＣにおける第一のケース１に回動可能に支持された繰り出しギア４と、繰り出しギア４に対して摺動可能に接続するとともに繰り出しリール６と係わり合って当該繰り出しリール６の回転に伴って一体的に回動し得る円環状のクラッチ部材ｋ１と、当該クラッチ部材ｋ１を繰り出しギア４の鍔部分４１ａに押圧するクラッチバネｋ２と、繰り出しギア４の回転速度を増速させてリフィルＢに設けられた巻き取りギア８に伝達する増速ギア機構Ｇとを備えている。繰り出しギア４は、増速ギア機構Ｇを介して巻き取りギア８に接続している。
【００２１】
本体ケースＣは、リフィルＢの左右に位置する左右の側壁ｃ１、ｃ２と、これら左右の側壁ｃ１、ｃ２の周縁部間に配設されリフィルＢにおける上側、下側、及び、後側を覆う周壁ｃ３とを備えている。本体ケースＣは、リフィルＢの外側を覆う第一のケース１と、この第一のケース１に回転可能に取り付けられた第二のケース２とを主体に構成されたものである。
【００２２】
第一のケース１は、合成樹脂製のものであり、リフィルＢにおける上側、下側、及び、後側と一側面たる左側面側とを覆うものである。すなわち、第一のケース１は、左の側壁ｃ１と、周壁ｃ３を形成し得る左の周壁形成部分１２とを備えている。第一のケース１は、左の側壁ｃ１の内面側に、リフィル本体５の前部に設けられた取り付け用のボス５４に嵌合する取り付け用の凸部１３と、巻き取りリール７の胴部７２内に配設される巻き取りリール支持軸１４と、繰り出しリール６の胴部６２内に配設され当該繰り出しリール６を間接的に支持する繰り出しリール支持軸１５とを備えている。第一のケース１は、左の周壁形成部分１２の後端部に、第二のケース２に対してヒンジ結合する第一ヒンジ構成部１６を備えている。
【００２３】
第二のケース２は、合成樹脂製のものであり、リフィルＢにおける上側、下側、及び、後側と一側面たる右側面側とを覆うものである。すなわち、第二のケース２は、右の側壁ｃ２と、周壁ｃ３を形成し得る右の周壁形成部分２２とを備えている。第二のケース２は、右の側壁ｃ２の内面側に、リフィル本体５の前部に設けられた取り付け用のボス５５に嵌合する取り付け用の凸部２３と、繰り出しリール６と軸心を一致させてリフィル本体５に設けられた位置決め孔５６に内嵌される後側の位置決め突部２４と、巻き取りリール７と軸心を一致させてリフィル本体５に設けられた位置決め孔５７に内嵌される前側の位置決め突部２５とを備えている。第二のケース２は、右の周壁形成部分２２の後端部に、第一のケース１に対してヒンジ結合する第二ヒンジ構成部２６を備えている。
【００２４】
キャップ３は、不使用時において、転写ヘッド９を外部に露出しないように覆い得るものである。キャップ３は、第一のケース１の前部に回動可能に支持されている。
【００２５】
繰り出しギア４は、繰り出しリール６にクラッチＫを介して接続したものであり、当該繰り出しリール６と連動し得るものである。繰り出しギア４は、繰り出しリール支持軸１５に対して離脱しない態様で回転可能に支持されている。繰り出しギア４におけるボス部４１の先端側にはクラッチ部材ｋ１が装着されている。すなわち、繰り出しギア４と繰り出しリール６との間には、クラッチ部材ｋ１を備えたクラッチＫが設けられている。そして、繰り出しリール６の回転が、クラッチＫを介して繰り出しギア４に伝達されるようになっている。つまり、この転写具は、転写テープｔに添着した糊を用紙等に転写する過程で転写テープｔが移動するようになっている。そして、移動する転写テープｔに引っ張られて繰り出しリール６が回動し、その繰り出しリール６の回動が、クラッチＫを介して繰り出しギア４に伝達されるようになっている。クラッチＫは、転写テープｔに過度の引っ張り力が作用しないようにするためのものであり、クラッチ部材ｋ１と繰り出しギア４とが相対回動し得るように構成されている。
【００２６】
増速ギア機構Ｇは、繰り出しギア４と巻き取りギア８の間に介設されたものであり、繰り出しギア４の回転速度を、ギア比を異ならせることによって増速させ、巻き取りリール７に一体に設けられた巻き取りギア８に伝達させ得るものである。
【００２７】
増速ギア機構Ｇは、第一のケース１における左の側壁ｃ１の内側に設けられている。増速ギア機構Ｇは、繰り出しギア４、及び、巻き取りギア８よりも小さな外径寸法に設定されたギア、すなわち、繰り出しギア４に噛合する第一ギアｇ１と、この第一ギアｇ１に噛合するとともに巻き取りギア８に噛合する第二ギアｇ２とを主体に構成されている。
【００２８】
第一ギアｇ１は、繰り出しギア４と第二ギアｇ２との間に介設されたものであり、左の側壁ｃ１に設けられた軸状のギア支持部１７に回動可能に支持されている。
【００２９】
第二ギアｇ２は、第一ギアｇ１と巻き取りギア８との間に介設されたものであり、左の側壁ｃ１に設けられた軸状のギア支持部１８に回動可能に支持されている。第二ギアｇ２は、いわゆる二段ギアタイプのものであり、第一ギアｇ１の外径寸法ｗ５と略同じ外径寸法ｗ６をなす小径ギアｇ２１と、この小径ギアｇ２１の内側に設けられ当該小径ギアｇ２１よりも大きな外径寸法ｗ７をなす大径ギアｇ２２とを一体に備えたものである。小径ギアｇ２１は、第一ギアｇ１と噛合するものであり、大径ギアｇ２２は巻き取りギア８に噛合するものである。
【００３０】
続いて、転写具本体Ａに着脱可能に取り付けられるリフィルＢについて説明する。
【００３１】
リフィルＢは、樹脂による一体成型品であるリフィル本体５と、リフィル本体５に回動可能に支持された繰り出しリール６と、リフィル本体５に回動可能に支持された巻き取りリール７と、リフィル本体５の前端部に設けられた転写端である転写ローラ９１を有した転写ヘッド９とを具備している。なお、巻き取りギア８は巻き取りリール７の左側に一体に設けられている。
【００３２】
リフィル本体５は、転写ヘッド９、巻き取りリール７、及び、繰り出しリール６の一方の側部たる右側部に配されたリフィルベース５１と、このリフィルベース５１から突設され繰り出しリール６を回動可能に支持する第一支軸５２と、リフィルベース５１から突設され巻き取りリール７を回動可能に支持する第二支軸５３とを備えたものである。
【００３３】
繰り出しリール６は、転写テープｔが繰り出されるものである。繰り出しリール６は、合成樹脂製のものであり、リフィル本体５の第一支軸５２に支持されている。繰り出しリール６は、一面側に糊が添着された転写テープｔを巻装したものである。繰り出しリール６は、第一支軸５２と係わり合う軸受部６１と、転写テープｔを巻装する円筒状の胴部６２と、巻装された転写テープｔのずれを防止するための左右のフランジ部６３とを有している。胴部６２の内側には、複数の内リブ６２ａが設けられており、クラッチ部材ｋ１の外側に設けられた外リブｋ１１と係わり合うようになっている。そして、繰り出しリール６は、クラッチ部材ｋ１と一体に回動し得るようになっている。
【００３４】
巻き取りリール７は、繰り出しリール６から繰り出された転写テープｔを巻き取るものである。なお、巻き取りリール７に巻き取られる転写テープｔは、転写ヘッド９を経由した段階で糊が当該転写テープｔから離脱している。つまり、巻き取りリール７には、糊が略剥がれ落ちた状態の転写テープｔが巻き取られている。巻き取りリール７は、合成樹脂製のものであり、リフィル本体５の第二支軸５３に支持されている。巻き取りリール７は、転写具の使用すなわち転写テープｔに添着した糊を用紙等に転写する操作に連動して転写テープｔを巻いていくものである。巻き取りリール７は、第二支軸５３と係わり合う軸受部７１と、転写物を転写した後の転写テープｔを巻装する円筒状の胴部７２と、巻装する転写テープｔのずれを防止するための左右のフランジ部７３とを有している。第一のケース１側を向くフランジ部７３には、増速ギア機構Ｇに接続する巻き取りギア８が一体に形成されている。
【００３５】
巻き取りギア８は、繰り出しギア４の回転力を増速ギア機構Ｇを介して受け付けるためのものであり、巻き取りリール７と一体的に回動するものである。巻き取りギア８は、増速ギア機構Ｇを構成する第二ギアｇ２の大径ギアｇ２２に噛合するようになっている。繰り出しギア４の回動は、増速ギア機構Ｇを介して巻き取りギア８に伝達される。そして、当該巻き取りギア８が回動することにより、巻き取りギア８と一体に構成された巻き取りリール７も回動するようになっている。
【００３６】
転写ヘッド９は、リフィル本体５に支持されたものであり、転写端たる転写ローラ９１と、この転写ローラ９１を支持した支持体９２とを備えている。支持体９２は、側面視において略三角形状をなす左右の支持側壁を主体に構成されたものであり、後端部がリフィル本体５に接続している。
【００３７】
しかして、この実施形態の転写具は、繰り出しリール６の軸径ｗ１と巻き取りリール７の軸径ｗ２とが略同じ寸法に設定されている。なお、「略同じ寸法」とは同一又はこれに近しい寸法という意味であり、具体的に言えば、繰り出しリール６の軸径ｗ１と巻き取りリールｗ７の軸径ｗ２との比率が５：６〜６：５の範囲内にある場合をいう。
【００３８】
また、この実施形態では、繰り出しギア４の外径寸法ｗ３と巻き取りギア８の外径寸法ｗ４とが略同じ寸法に設定されている。なお、「略同じ寸法」とは同一又はこれに近しい寸法という意味であり、具体的に言えば、繰り出しギア４の外径寸法ｗ３と巻き取りギア８の外径寸法ｗ４との比率が４：５〜５：４の範囲内にある場合をいう。
【００３９】
次いで、この転写具の作動について説明する。
【００４０】
この転写具は、本体ケース本体を支持した使用者の操作によって、転写テープｔを伴わせた転写ヘッド９を用紙等の転写対象面に押し付けて糊を転写する操作を行うことにより、その転写する操作の過程で転写テープｔが移動するようになっている。
【００４１】
まず、移動する転写テープｔに引っ張られて当該転写テープｔを巻回していた繰り出しリール６が回動する。
【００４２】
次に、繰り出しリール６が回動することにより、クラッチＫを介して当該繰り出しリール６に接続した繰り出しギア４が回動する。
【００４３】
続いて、繰り出しギア４が回動することにより、増速ギア機構Ｇを構成する当該繰り出しギア４に噛合する第一ギアｇ１が回動する。第一ギアｇ１の外径寸法ｗ５は、繰り出しギア４の外径寸法ｗ３よりも小さく設定されているため、第一ギアｇ１の回転速度は、繰り出しギア４の回転速度よりも早くなっている。
【００４４】
その後、第一ギアｇ１が回動することにより、増速ギア機構Ｇを構成する当該第一ギアｇ１に噛合する第二ギアｇ２が回動する。第二ギアｇ２はいわゆる二段ギアであり、一方の段のギアである小径ギアｇ２１が第一ギアｇ１に噛合しており、他方の段のギアである大径ギアｇ２２が巻き取りギア８に噛合している。小径ギアｇ２１と大径ギアｇ２２とは一体に回動するものである。小径ギアｇ２１及び大径ギアｇ２２の外径寸法ｗ６、ｗ７は、第一ギアｇ１と同様に、繰り出しギア４の外径寸法ｗ３よりも小さく設定されているため、第二ギアｇ２の回転速度も、繰り出しギア４の回転速度よりも速くなっている。
【００４５】
次いで、第二ギアｇ２が回動することにより、当該第二ギアｇ２に噛合する巻き取りギア８が回動することになる。巻き取りギア８の外径寸法ｗ４は繰り出しギア４の外径寸法ｗ３と略同等又は近しい値に設定されている。その巻き取りギア８が、繰り出しギア４の回転速度よりも早い速度で回転する第二ギアｇ２に噛合されている。このため、巻き取りギア８及び巻き取りリール７は、繰り出しギア４よりも速い速度で回動し得るものとなっている。
【００４６】
以上説明したように、本実施形態に係る転写具は、転写テープｔが繰り出される繰り出しリール６と、この繰り出しリール６から繰り出されるとともに転写ヘッド９を経由した転写テープｔを巻き取るための巻き取りリール７と、繰り出しリール６に接続し当該繰り出しリール６と連動する繰り出しギア４と、巻き取りリール７と一体的に回動する巻き取りギア８とを備えている。そして、繰り出しリール６の軸径ｗ１と巻き取りリール７の軸径ｗ２とが略同じ寸法に設定されており、且つ、繰り出しギア４の外径寸法ｗ３と巻き取りギア８の外径寸法ｗ４とが略同じ寸法に設定されている。繰り出しギア４は、増速ギア機構Ｇを介して巻き取りギア８に接続している。このため、全体の小型化を図ったり、好適な外形を設定したりするための設計の自由度に優れた転写具を提供することができるものとなる。つまり、増速ギア機構Ｇにより繰り出しギア４の回転速度を増速させて巻き取りリール７を回転させるようにしているため、転写具全体の小型化をするために巻き取りリール７の大きさを過度に小さくする必要性が低減されるものとなる。また、かかる転写具であれば、繰り出しリール６や巻き取りリール７等を収容する転写具本体Ａの形状が、繰り出しリール６と巻き取りリール７との大きさの違いによって、いわゆる三角形状やおにぎり型の形状になりやすいという設計上の課題を好適に解消し得るものとなっている。繰り出しリール６の軸径ｗ１と巻き取りリール７の軸径ｗ２とが略同じ寸法に設定されているため、これら繰り出しリール６及び巻き取りリール７を枢支し得る所要の強度が確保された構成を設計するための設計の自由度にも優れたものとなっている。
【００４７】
増速ギア機構Ｇが、繰り出しギア４、及び、巻き取りギア８よりも小さな外径寸法ｗ５、ｗ６、ｗ７に設定されたギア、すなわち、繰り出しギア４に噛合する第一ギアｇ１と、この第一ギアｇ１に噛合するとともに巻き取りギア８に噛合する第二ギアｇ２とを備えている。このため、第一ギアｇ１及び第二ギアｇ２との協働によって繰り出しギア４に対するギア比を適宜設定することによって、比較的容易に適切な巻き取りギア８の回転速度を繰り出しギア４よりも高速になるように設定し得るものとなっている。
【００４８】
第二ギアｇ２が、第一ギアｇ１の外径寸法ｗ５と略同じ外径寸法ｗ６をなす小径ギアｇ２１と、この小径ギアｇ２１よりも大きな外径寸法ｗ７をなす大径ギアｇ２２とを一体に備えたものである。このため、繰り出しギア４と巻き取りギア８との干渉を避けるため適切な構成を好適に実現し得るものとなっている。
【００４９】
第二ギアｇ２が、小径ギアｇ２１を大径ギアｇ２２よりも外側に配設したものであり、小径ギアｇ２１が第一ギアｇ１に噛合するものであり、大径ギアｇ２２が巻き取りギア８に噛合するものである。このため、第一ギアｇ１と小径ギアｇ２１とを大径ギアｇ２２の外側において好適に噛合させ得るものとなっている。
【００５０】
特に、本実施形態においては、本体ケースＣにおける左の側壁ｃ１と第二ギアｇ２の大径ギアｇ２２との間に形成された隙間に第一ギアｇ１が位置している。そして、この第一ギアｇ１が大径ギアｇ２２の外側に位置する小径ギアｇ２１と噛合している。このため、第一ギアｇ１と小径ギアｇ２１とを好適に噛合させ得るものとなっている。
【００５１】
繰り出しリール６と繰り出しギア４との間に、クラッチＫが設けられている。このため、クラッチＫを作用させることにより、転写テープｔの巻回度合いにより刻々と変化し得る実質的な繰り出しリール６の外径寸法が変化する間、すなわち繰り出しリール６から転写テープｔが繰り出される初期段階から繰り出しリール６から転写テープｔが尽きるまでの最終段階までの間において、転写テープｔに過度の引っ張り力が作用することが抑制され得るものとなる。
【００５２】
内部にリフィル配設空間ｓｐを形成した転写具本体Ａと、リフィル配設空間ｓｐに配設されたリフィルＢとを備えている。このため、転写テープｔが尽きた場合には、新たなリフィルＢを交換し得るものとなっている。
【００５３】
転写具本体Ａが、リフィルＢの左右に位置する左右の側壁ｃ１、ｃ２と、これら左右の側壁ｃ１、ｃ２の周縁部間に配設されリフィルＢにおける少なくとも上側、下側、及び、後側を覆う周壁ｃ３とを備えている。このため、リフィルＢを好適に転写具本体Ａ内に収容し得るものとなっている。
【００５４】
なお、本発明は、以上に詳述した実施形態に限られるものではない。
【００５５】
転写具は、転写物を転写対象物に転写するものであればどのようなものであってもよい。換言すれば、転写物は、本実施形態に示された糊に限られるものではなく、例えば、修正用の修正剤（修正テープ）や装飾用の装飾剤（装飾テープ）であってもよい。
【００５６】
転写具は、上述した実施形態で示したようないわゆるリフィル交換タイプのものに限られるものではない。例えば、他の転写具としては、転写テープが無くなった場合は以後使用できなくなるいわゆるディスポーザブルタイプのものであってもよい。
【００５７】
転写ヘッドにおける転写端は、転写テープを転写対象面に押し付ける機能を発揮するものであればよく、本実施形態に示されるものに限られるものではない。転写端としては、例えば、板面を利用して転写対象面に転写テープを押し付けるようにした板状部材等を挙げることができる。
【００５８】
その他、各部の具体的構成についても上記実施形態に限られるものではなく、本発明の趣旨を逸脱しない範囲で種々変形が可能である。
【符号の説明】
【００５９】
１…第一のケース
２…第二のケース
３…キャップ
４…繰り出しギア
５…リフィル本体
６…繰り出しリール
７…巻き取りリール
８…巻き取りギア
Ａ…転写具本体
Ｂ…リフィル
Ｃ…本体ケース
Ｇ…増速ギア機構
ｔ…転写テープ
【図１】
2018001607.tif 000003
【図２】
2018001607.tif 000004
【図３】
2018001607.tif 000005
【図４】
2018001607.tif 000006
【図５】
2018001607.tif 000007
【図６】
2018001607.tif 000008
【図７】
2018001607.tif 000009
【図８】
2018001607.tif 000010